(57)【要約】【課題】　勾配の急な法面などに薬剤を散布する場合において、法面作業用車両に取り付けて使用し、作業の効率性および安全性に優れ、かつ低コストで散布できる薬剤散布アタッチメントを提供する。【解決手段】　既存の法面作業用車両に取り付けられ、外部タンクから薬剤の供給を受けて薬剤散布を行なうための薬剤散布アタッチメントであって、外部タンクから供給される薬剤を輸送する薬剤ホースを支持する可動式アームと、法面作業用車両の後部水平中心位置に取り付けられるとともに可動式アームを支持する音さ型挟持部分を有するアーム取付部材と、薬剤ホースの端部に連結され薬剤を散布する薬剤散布用ノズルと、該ノズルを法面作業用車両の所定の位置に固定するノズル取付部材とを備えてなり、上記可動式アームは、その一端部を上記アーム取付部材の音さ型挟持部分で上下から挟みこまれ、該端部を中心として水平方向に旋回自在に支持されている。【選択図】図１
2004033229.tif 000002
【特許請求の範囲】
【請求項１】
　法面作業用車両に取り付けられ、外部タンクから薬剤の供給を受けて薬剤散布を行なうための薬剤散布アタッチメントであって、
　該薬剤散布アタッチメントは、外部タンクから供給される薬剤を輸送する薬剤ホースを支持する可動式アームと、前記法面作業用車両の後部水平中心位置に取り付けられるとともに前記可動式アームを支持する音さ型挟持部分を有するアーム取付部材と、前記薬剤ホースの端部に連結され薬剤を散布する薬剤散布用ノズルと、該薬剤散布用ノズルを前記法面作業用車両の所定の位置に固定するノズル取付部材とを備えてなり、
　前記可動式アームは、その長さが前記法面作業用車両の後部幅の略半幅の長さであり、その一端部を前記アーム取付部材の音さ型挟持部分で上下から挟みこまれ、該端部を中心として前記車両の後部一側端から後部他側端に水平方向に旋回自在に支持されていることを特徴とする薬剤散布アタッチメント。
【請求項２】
　前記ノズル取付部材は、前記法面作業用車両に取り付けられるノズル取付用ステーと、該ステーに固定され、前記薬剤散布用ノズルをその散布方向を任意調節可能に支持できるノズル取付金具とからなることを特徴とする請求項１記載の薬剤散布アタッチメント。
【請求項３】
　前記アーム取付部材と前記ノズル取付部材との間で前記薬剤ホースに、上記薬剤散布用ノズルからの薬剤の散布および停止を制御する薬剤開閉弁が設けられていることを特徴とする請求項１または請求項２記載の薬剤散布アタッチメント。
【発明の詳細な説明】
【技術分野】
【０００１】
　本発明は、ゴルフ場などの法面に農薬を散布するために法面作業用車両に取り付けて使用する薬剤散布アタッチメントに関し、特に車両外部から薬剤の供給を受けつつ薬剤を散布する薬剤散布アタッチメントに関する。
【背景技術】
【０００２】
　ゴルフ場や公園などの法面に農薬を散布するとき、噴霧器を携行する人力による散布及び法面作業用車両等に噴霧装置を搭載した機械による散布が行なわれている。噴霧器を携行する人力による散布は、重労働のため作業者が著しく疲弊することに加え、所定の面積を散布するのに長時間を要するなどの問題がある。そのため、法面作業用車両等に噴霧装置を搭載した機械による散布が試みられている。機械による散布は、上記のような人力による散布の問題点を解決できる利点を有している。
【０００３】
　機械によって農薬を散布するものとしては、トラクタなどの車両に、多数の噴霧ノズルを備えた噴霧竿をブームによって左右方向に略水平に張り出して支持し、トラクタに積載した動力噴霧機により薬液タンクの薬液を噴霧するブームスプレーヤが知られている（特許文献１参照）。また、農薬を的確に散布することを目的として、噴霧ノズルの付いているブームの位置を調整する方法や散布終了時にブームをコンパクトに折りたたむ方法などが知られている（特許文献２参照）。
【０００４】
　しかしながら、上記のような機械による散布が種々試みられているが、トラクタなどの車両に、農薬タンク、ブーム位置調整用油圧装置、噴霧ノズル等を同時に搭載し、さらに運転者の搭乗スペースを確保するには車両スペースに限界があり、農薬タンクの容量を小さく抑えるなどが必要である。このため、広大な面積を有するゴルフ場や公園の法面に農薬を散布する場合には、農薬補充のために作業を中断する必要があり、作業性が著しく低下する等の問題がある。
　また、トラクタなどの車両に上記のような各装置を同時に搭載し、更に運転者の搭乗スペースを確保するために車両を大型化すると、車両の小回りが効かなくなり、急カーブの法面や複雑な形状の法面に対して作業性が著しく低下する等の問題がある。
　さらに上記のように各装置を同時に搭載した場合では、車両の重量が増大し、芝生面を凹ませたり、芝生を損傷する問題もある。
【特許文献１】特開平１０−８０６５５号広報（段落［０００８］）
【特許文献２】特開平７−６７５１２号広報（段落［０００５］）
【発明の開示】
【発明が解決しようとする課題】
【０００５】
　本発明が解決しよとする課題は、勾配の急な法面などに薬剤を散布する場合において、法面作業用車両に取り付けて使用し、作業の効率性および安全性に優れ、かつ低コストで散布できる薬剤散布アタッチメントがない点である。
【課題を解決するための手段】
【０００６】
　本発明の薬剤散布アタッチメントは、既存の法面作業用車両に取り付けられ、外部タンクから薬剤の供給を受けて薬剤散布を行なうための薬剤散布アタッチメントであって、該薬剤散布アタッチメントは、外部タンクから供給される薬剤を輸送する薬剤ホースを支持する可動式アームと、上記法面作業用車両の後部水平中心位置に取り付けられるとともに上記可動式アームを支持する音さ型挟持部分を有するアーム取付部材と、上記薬剤ホースの端部に連結され薬剤を散布する薬剤散布用ノズルと、該薬剤散布用ノズルを上記法面作業用車両の所定の位置に固定するノズル取付部材とを備えてなり、上記可動式アームは、その長さが法面作業用車両の後部幅の略半幅の長さであり、その一端部をアーム取付部材の音さ型挟持部分で上下から挟みこまれ、該端部を中心として車両の後部一側端から後部他側端に水平方向に旋回自在に支持されていることを特徴とする。
　本発明において法面とは、切り取り、盛土などでできた人工的な斜面および自然にできた斜面、平面を含む。
【０００７】
　また、上記ノズル取付部材は、上記法面作業用車両に取り付けられるノズル取付用ステーと、該ステーに固定され、上記薬剤散布用ノズルをその散布方向を任意調節可能に支持できるノズル取付金具とからなることを特徴とする。
　また、上記アーム取付部材と上記ノズル取付部材との間で上記薬剤ホースに、上記薬剤散布用ノズルからの薬剤の散布および停止を制御する薬剤開閉弁が設けられていることを特徴とする。
【０００８】
　法面作業用車両の後部に、該車両の後部半幅程度の長さの可動式アームが、アーム取付部材を介して車両の後部一側端から後部他側端に水平方向に旋回自在に支持されることにより、車両の旋回または前進・後進に附随して可動式アームが旋回し薬剤ホースを車両の車輪などに掛かることなく支持できる。特に、後進時においては、可動式アームが後部一側端にほぼ水平に向き、車両側端より突出した位置で薬剤ホースを支持することにより、薬剤ホースが車輪に掛かることがなく後進も容易に行なうことができる。
【発明の効果】
【０００９】
　本発明の薬剤散布アタッチメントは、既存の法面作業用車両に取り付けて使用するので、低コストで導入することができる。また、外部薬剤タンクである外部農薬タンクに接続して用いるので、農薬タンクを法面作業用車両に搭載する必要がなく、勾配の急な法面や高所にある法面への進入を容易にすることができ農薬散布の作業性に優れる。
　また、農薬散布時において可動式アームが、左右に旋回しながら農薬ホースを支持するので作業中にホースが邪魔とならない。特に法面作業用車両の後進時であっても、可動式アームの長さが法面作業用車両の後部略半幅であり、該アームが水平方向に９０度旋回した状態となるので、ホースが車輪に掛かることを防止できる。
【発明を実施するための最良の形態】
【００１０】
　本発明の薬剤散布アタッチメントを農薬散布アタッチメントを例にとり、図１を参照して説明する。図１は、農薬散布アタッチメントを法面作業用車両に取り付けた状態の全体斜視図を示す。
　農薬散布アタッチメントは、外部農薬タンク（図示省略）に接続した農薬タンク側ホース６にホース接続用カプラー８を介して連結された農薬ホース９を支持する可動式アーム１と、法面作業用車両５の後部水平中心位置で法面作業用車両５のフレーム５ａに取り付けられ可動式アーム１を支持するアーム取付部材２と、農薬ホース９の端部９ａに取り付けられ農薬を噴霧状などで散布する農薬散布用ノズル３と、該農薬散布用ノズル３を所定の高さに固定するため、法面作業用車両５の座席柱５ｂに固定されるノズル取付部材４とを備えてなる。
　ここで、可動式アーム１は、その長さが法面作業用車両５の後部半幅よりも若干長く、その一端部１ａがアーム取付部材２の音さ型挟持部分２ｂで上下から挟みこまれ、該端部１ａを中心として、図中矢印Ａで示すように水平方向に旋回自在に支持されている。
　農薬は、タンク車などに搭載された外部農薬タンク（図示省略）から農薬タンク側ホース６およびこれに連結された農薬ホース９を通り、該ホースの端部９ａに取り付けられた農薬散布用ノズル３から散布される。なお、農薬ホース９には、アーム取付部材２とノズル取付部材３との間で法面作業用車両の運転者が操作しやすい位置に、農薬の散布および停止を制御する農薬開閉弁１０が設けられている。
【００１１】
　法面作業用車両５は既存の法面作業用車両を利用できるので、農薬散布アタッチメント自体は低コストで導入することができる。また、急勾配な法面も自走できる法面作業用車両などに取り付けることにより、急な法面への農薬散布も可能となる。このような法面作業用車両としては、例えば、バロネスＧＭ１５００（共栄社製）などが挙げられる。
【００１２】
　可動式アーム１およびをアーム取付部材２を図２を参照して詳細に説明する。図２は、農薬散布アタッチメントにおける可動式アームおよびアーム取付部材の斜視図である。
　可動式アーム１は、外部農薬タンク側部分の鋼管１ｂと、アーム取付部材２の音さ型挟持部分２ｂに上下から挟持され、割れピン１１を介して旋回可能に支持される板状体１ｃと、鋼管１ｂと板状体１ｃとを連結する連結金具１ｅとからなる。板状体１ｃが、上述の可動式アーム１の端部１ａとしてアーム取付部材２に支持される。また、可動式アーム１の全長は法面作業用車両５の後輪幅を含めた後部の幅長さの略半幅であり、好ましくは半幅より若干長くする。例えば、半幅より１０ｃｍ程度長い寸法とすることにより、後進時などにおいて農薬タンク側ホース６が法面作業用車両５の車輪に掛かることを防止できる。
　鋼管１ｂは、農薬ホース固定用金具１ｄにより農薬ホース９を固定支持している。農薬ホース９は、鋼管１ｂに対してその上部、下部、側部など任意の位置で固定される。
　板状体１ｃは、音さ型挟持部分２ｂで上下から挟みこまれ、割れピン１１などにより支持され、水平方向に角度１８０度旋回可能な構造であればよい。例えば、旋回時に音さ型挟持部分２ｂと干渉しないように、音さ型挟持部分２ｂの閉塞側をＲ形状とした板状体とする。支持固定金具としては、割れピン１１のほか、蝶ねじなどでも代用することができる。
　板状体１ｃと音さ型挟持部分２ｂとにおける連結構造は、可動式アーム１が音さ型挟持部分２ｂの突出方向に対して角度略９０度未満回転しないナックル継ぎ手構造であればよい。
　連結金具１ｅは、鋼管１ｂと板状体１ｃの間に位置していて、前者とは例えばねじこみ方法で、後者とは例えば溶接で固定される構造を有している。なお、連結金具１ｅを介さず鋼管１ｂと板状体１ｃとを直接連結する、または、両者を一体成形してもよい。
【００１３】
　アーム取付部材２は、可動式アーム２の板状体１ｃを挟みこむ音さ型挟持部分２ｂと割れピン１２および１３を介して法面作業用車両のフレーム５ａに装着されるＣ型鋼２ａとからなる。
　音さ型挟持部分２ｂは、上下に２枚の板状部分を有していて、可動式アーム１の板状体１ｃを上下で挟みこみ、割れピン１１で固定する構造を有する。音さ型挟持部分２ｂの法面作業用車両側端部はＣ型鋼２ａに溶接などで略直角に固定される。Ｃ型鋼２ａは、法面作業用車両５のフレーム５ａには嵌め込まれた後、割れピン１２および１３によって固定される。Ｃ型鋼２ａの固定方法は、農薬散布時において可動式アーム１およびアーム取付部材２が落下しない固定方法であればよく、上記割れピンを用いる他では、Ｃ型鋼２ａの幅をフレーム５ａの幅よりも小さくし弾性変形を利用して嵌め込む、溶接により両者を接合するなどが挙げられる。十分な固定ができ、かつ脱着も容易であることから割れピン金具を用いることが好ましい。
　法面作業用車両のフレームとアーム取付部材のＣ型鋼に割れピン金具を挿入するだけで取り付け具を固定できるとともに、割れピン金具を抜き出すことにより容易に脱着できるので、既存の法面作業用車両への農薬散布アタッチメントの取り付け作業性に優れる。
【００１４】
　農薬ホース９は、その端部でホース接続用カプラー８によって農薬タンク側ホース６に接続される。ホース接続用カプラー８の着脱により、農薬タンクとの接続または切り離しを容易に行なうことができる。また、ホース接続用カプラー８の非接続時において、農薬の逆流などを防止するためボールコック７が設けられている。ホース接続用カプラーの脱着によって農薬タンク側ホースを切り離なし、更さらに可動式アームを自走車両の後輪のいずれか片側に移動させることで、農薬散布終了後、農薬散布アタッチメントを搭載したままで法面作業用車両を車庫に格納することができる。
　また、本発明の農薬散布アタッチメントは、上記ホース接続用カプラー８を介して外部農薬タンクに接続させることができるので、農薬タンクを法面作業用車両に搭載する必要がなく、タンク車など大型の外部農薬タンクの利用を可能にさせるとともに、勾配の急な法面や高所にある法面への進入を容易にすることができ農薬散布の作業性に優れる。
【００１５】
　後進時における農薬散布アタッチメントの状態を図３を参照して説明する。図３は、法面作業用車両５の後進時に可動式アーム１が法面作業用車両の右後輪側に水平方向に９０度旋回している状態を示す。法面作業用車両５の後進させると、農薬タンク側ホース６は、可動式アーム１の旋回により法面作業用車両の右後輪５ｃの外側に移動するので、またナックル継ぎ手構造により可動式アーム１がそれ以上旋回しないので、車輪がホースを踏むことを回避でき車両の後進の邪魔になることを防止できる。この結果、後進を安全に行なうことができ作業性にも優れる。
【００１６】
　農薬散布用ノズル３およびノズル取付部材４を、図４を参照して詳細に説明する。図４は、農薬散布アタッチメントにおける農薬散布用ノズルおよびノズル取付部材の斜視図である。
　図４に示すように、ノズル取付部材４は、ノズル取付用ステー４ａと、該ステーに固定され、農薬散布用ノズル３を支持するノズル取付金具４ｂとからなる。ノズル取付用ステー４ａは、ノズル取付金具４ｂを支えるための板状体であり、法面作業用車両の後部で任意高さに固定される。固定方法としては、図１に示すように農薬散布用ノズル３を的確な噴霧高さに調整できるよう法面作業用車両の座席柱５ｂにクリンプ１４などで固定するなどが挙げられる。
　ノズル取付金具４ｂは、農薬散布用ノズル３をその散布方向を任意調節可能に支持できる構造であればよく、例えば図４に示すように、ノズル取付用ステー４ａにリベットなどで固定された取り付けガイド４ｃと、該ガイドの溝部４ｄに挟み込まれ蝶ねじなどにより連結されたノズル吊り下げ金具４ｅとから構成される。この蝶ねじを緩めることにより農薬散布用ノズル３の角度を調整することができるので、狙った位置に的確に農薬を散布することができる。
　上記のように、クリンプによりノズル取付用ステーの高さ位置を、ノズル取付金具によりノズル角度をそれぞれ調整することにより、農薬を狙った場所に的確に散布することができる。
【００１７】
　農薬開閉弁１０を図５を参照して詳細に説明する。図５は、農薬散布アタッチメントにおける農薬開閉弁の斜視図である。
　農薬開閉弁１０は、農薬ホース９に取り付けられる開閉弁であり、アーム取付部材２とノズル取付部材４との間で、運転者が操作しやすい位置に設けることができる。具体的には図５に示すように、その前後に接続する農薬ホース９とともに固定用金具１０ａによって、法面作業用車両の運転席手摺り５ｄに固定されている。該開閉弁を設けこれを開閉することにより、運転者が農薬散布開始および停止操作を任意にかつ容易に行なうことができる。
【産業上の利用可能性】
【００１８】
　本発明の薬剤散布アタッチメントは、上述のように急な法面の農薬散布に好適に利用できる。また、既存の車両などに特殊な改造を行わず、容易に、かつ迅速に着脱することができるので、農薬などの薬剤散布以外に塗装工事、散水作業などにも利用できる。
【図面の簡単な説明】
【００１９】
【図１】本発明の薬剤散布アタッチメントを法面作業用車両に取り付けた状態の全体斜視図である。
【図２】可動式アームおよびアーム取付部材の斜視図である。
【図３】法面作業用車両後進時における薬剤散布アタッチメントの状態を示す図である。
【図４】薬剤散布用ノズルおよびノズル取付部材の斜視図である。
【図５】薬剤開閉弁の斜視図である。
【符号の説明】
【００２０】
　１　　可動式アーム
　２　　アーム取付部材
　３　　農薬散布用ノズル
　４　　ノズル取付部材
　５　　法面作業用車両
　６　　農薬タンク側ホース
　７　　ボールコック
　８　　ホース接続用カプラー
　９　　農薬ホース
　１０　農薬開閉弁
　１１　割れピン
　１２　割れピン
　１３　割れピン
　１４　クリンプ
【図１】
2004033229.tif 000003
【図２】
2004033229.tif 000004
【図３】
2004033229.tif 000005
【図４】
2004033229.tif 000006
【図５】
2004033229.tif 000007